(57)【要約】【課題】発話障害者が自然な形で気軽に会話を楽しむことができるように、単に携帯容易なだけでなく、身体の目立たない位置に装着できるとともに、キーの数が少なく、指の配置や動きに合わせてキーボードを見ずに簡単に操作できることで発話までのタイムラグの少ない聾唖者用音声出力装置を提供する。また、音は同じだがアクセントやイントネーションの異なる単語や文章を、その場の操作で自由に選択してリアルタイムに発話できる聾唖者用音声出力装置を提供する。【解決手段】右手用ボードと、左手用ボードと、前記各ボード上に右手、左手を添えた状態で指の先端領域に配置される複数のキーと、前記キーの押下組合せに応じた音声出力をする音声出力部とからなる聾唖者用音声出力装置を提供する。【選択図】図１２
2009042397.tif 000002
【特許請求の範囲】
【請求項１】
右手用ボードと、左手用ボードと、
前記各ボード上に右手、左手を添えた状態で指の先端領域に配置される複数のキーと、
前記キーの押下組合せに応じた音声出力をする音声出力部と、
からなる聾唖者用音声出力装置。
【請求項２】
前記複数のキーは、各指の先端領域にそれぞれ一つずつ配置される
請求項1に記載の聾唖者用音声出力装置。
【請求項３】
前記キーは、前記各ボード上に右手、左手を添えた状態で親指、人差指、中指の先端領域に群配置され、母音、子音、小さな母音、小さな「や」「ゆ」「よ」を示すキー群である
請求項１に記載の聾唖者用音声出力装置。
【請求項４】
さらに前記領域に濁音、半濁音を示す複数のキーを配置した請求項３に記載の聾唖者用音声出力装置。
【請求項５】
右手用ボードの親指先端領域に
「あ」、「い」、小さな「あ」、小さな「い」、小さな「や」に対応するキー群を配置し、
右手用ボードの人差指先端領域に「う」、小さな「ゆ」に対応するキー群を配置し、
右手用ボードの中指先端領域に「え」、「お」、小さな「え」、小さな「お」、小さな「よ」に対応するキー群を配置し、
左手用ボードの親指先端領域に「た」、「さ」、「か」、「だ」、「ざ」、「が」に対応するキー群を配置し、
左手用ボードの人差指先端領域に「ま」、「は」、「ば」、「ぱ」、「な」に対応するキー群を配置し、
左手用ボードの中指先端領域に「わ」、「ら」、「や」に対応するキー群を配置した請求項４に記載の聾唖者用音声出力装置。
【請求項６】
左手用キーボードの中指の腹が当接する領域に連続音生成用キーをさらに設けた請求項３から５のいずれか一に記載の聾唖者用音声出力装置。
【請求項７】
右手用ボード及び左手用ボードのキー配置面の裏面は、衣服に各ボードを固定するための固定手段が設けられていることを特徴とする請求項１から６のいずれか一に記載の聾唖者用音声出力装置。
【請求項８】
各キーはアクセントボタンであり、強い押下で強調音を出力し、通常押下で通常音を出力するように音声出力部が構成されている請求項１から７のいずれか一に記載の聾唖者用音声出力装置。
【発明の詳細な説明】
【技術分野】
【０００１】
本発明は、聾唖者用音声出力装置に関する。
【背景技術】
【０００２】
聾唖者、特に発話に障害を有する者（以下「発話障害者」という。）は、他人とのコミュニケーションにおいて不自由を感じることが少なくない。このため、従来から発話障害者のコミュニケーションを支援するための機器が開発され、利用されており、特に大型の支援機器を携行することが困難な環境でも気軽に意思疎通ができるように容易に操作可能なことに配意した携帯型の装置なども存在する。例えば、特許文献１では、携帯型の装置本体に文字入力手段（一例として携帯電話のボタンをそのまま流用した形態が示されている）と、文字−音声変換手段と、音声発生手段とを備えた聴覚障害者用対話支援装置が開示されている（特許文献１参照）。
【０００３】
また、会話の中には、音は同じだがアクセントやイントネーションの異なる単語や文章もあり得る（例えば「箸」と「橋」、「食べます」と「食べます？」）ところ、これらを区別して音声合成を行うことができる装置も存在する。例えば特許文献２では、文字や単語に予めコードを付与して文字コードとアクセントを関連付けた辞書を作成しておき、入力された文字を読み取るとともに、この文字のコードを手掛かりに辞書を検索して適切なアクセントで音声を合成することができる音声合成装置が開示されている（特許文献２参照）。
【特許文献１】特開２００３‐１５０１８８号公報
【特許文献２】特開平９‐００６２２１号公報
【発明の開示】
【発明が解決しようとする課題】
【０００４】
しかし、発話障害者が気軽に会話を楽しむためには、支援機器が単に携帯容易であればよいというわけではなく、携帯していること自体が目立たないようにして自然な形で会話ができるようにしたいというニーズがあるが、従来の支援装置では、外部から機器が見えてしまい、携帯していることが目立ってしまうため、このような自然な形での会話を楽しむというニーズを満たすことは困難であった。また、このように目立たないところでキーを操作するためには、キーの数を少なくして、キーボードを見ずに簡単に操作できるようにする必要があるが、こうした目立たないところに装着できて簡単に操作できる機器は従来存在していなかった。また、このように目立たないところに装着できて簡単に操作できる機器が従来存在していなかったため、思ったことをすぐに言葉として発することができないという問題もあり、かかる意味でも自然な会話を楽しむことが妨げられていた。
【０００５】
また、音は同じだがアクセントやイントネーションの異なる単語や文章を区別して発音する点についても、従来のように文字や単語に予めコードを付与して文字コードとアクセントを関連付けた辞書を作成しておくという方法では、ある単語のアクセントは予め一定のものが登録されることとなり、これと異なるアクセントで話したい（例えば方言で話したり、おどけてわざと変なアクセントで話したりするなど）場合に対応できず、かかる点でも自然な会話を楽しむ上で不十分であった。
【０００６】
そこで、本発明の解決すべき課題は、発話障害者が自然な形で気軽に会話を楽しむことができるように、単に携帯容易なだけでなく、身体の目立たない位置に装着できるとともに、指の配置や動きに合わせてキーボードを見ずに簡単に操作できることで発話までのタイムラグの少ない聾唖者用音声出力装置を提供することにある。また、音は同じだがアクセントやイントネーションの異なる単語や文章を、その場の操作で自由に選択してリアルタイムに発話できる聾唖者用音声出力装置を提供することにある。
【課題を解決するための手段】
【０００７】
以上の課題を解決するため、本発明のうち、第一の発明は、右手用ボードと、左手用ボードと、前記各ボード上に右手、左手を添えた状態で指の先端領域に配置される複数のキーと、前記キーの押下組合せに応じた音声出力をする音声出力部とからなる聾唖者用音声出力装置を提供する。
【０００８】
また、第二の発明は、第一の発明を基礎とし、前記複数のキーは、各指の先端領域にそれぞれ一つずつ配置される聾唖者用音声出力装置を提供する。
【０００９】
また、第三の発明は、第一の発明を基礎とし、前記複数のキーは、前記各ボード上に右手、左手を添えた状態で親指、人差指、中指の先端領域に群配置され、母音、子音、小さな母音、小さな「や」「ゆ」「よ」を示す複数のキー群である請求項１に記載の聾唖者用音声出力装置を提供する。
【００１０】
また、第四の発明は、第三の発明を基礎とし、さらに前記領域に濁音、半濁音を示す複数のキーを配置した聾唖者用音声出力装置を提供する。
【００１１】
また、第五の発明は、第四の発明を基礎とし、右手用ボードの親指先端領域に「あ」、「い」、小さな「あ」、小さな「い」、小さな「や」に対応するキー群を配置し、右手用ボードの人差指先端領域に「う」、小さな「ゆ」に対応するキー群を配置し、右手用ボードの中指先端領域に「え」、「お」、小さな「え」、小さな「お」、小さな「よ」に対応するキー群を配置し、左手用ボードの親指先端領域に「た」、「さ」、「か」、「だ」、「ざ」、「が」に対応するキー群を配置し、左手用ボードの人差指先端領域に「ま」、「は」、「ば」、「ぱ」、「な」に対応するキー群を配置し、左手用ボードの中指先端領域に「わ」、「ら」、「や」に対応するキー群を配置した聾唖者用音声出力装置を提供する。
【００１２】
また、第六の発明は、第三から第五のいずれか一の発明を基礎とし、左手用キーボードの中指の腹が当接する領域に連続音生成用キーをさらに設けた聾唖者用音声出力装置を提供する。
【００１３】
また、第七の発明は、第一から第六のいずれか一の発明を基礎とし、右手用ボード及び左手用ボードのキー配置面の裏面は、衣服に各ボードを固定するための固定手段が設けられていることを特徴とする聾唖者用音声出力装置を提供する。
【００１４】
また、第八の発明は、第一から第七のいずれか一の発明を基礎とし、各キーはアクセントボタンであり、強い押下で強調音を出力し、通常押下で通常音を出力するように音声出力部が構成されている聾唖者用音声出力装置を提供する。
【発明の効果】
【００１５】
本発明により、発話障害者が自然な形で気軽に会話を楽しむことができるように、単に携帯容易なだけでなく、身体の目立たない位置に装着できるとともに、キーの数が少なく、指の配置や動きに合わせてキーボードを見ずに簡単に操作できることで発話までのタイムラグの少ない聾唖者用音声出力装置を提供することが可能となる。また、音は同じだがアクセントやイントネーションの異なる単語や文章を、その場の操作で自由に選択してリアルタイムに発話できる聾唖者用音声出力装置を提供することが可能となる。
【発明を実施するための最良の形態】
【００１６】
以下に、本発明の実施例を説明する。実施例と請求項の相互の関係は以下のとおりである。実施例１は主に請求項１、請求項２などに関し、実施例２は、請求項３、請求項４、請求項５、請求項６などに関し、実施例３は主に請求項７などに関し、実施例４は主に請求項８などに関する。なお、本発明はこれら実施例に何ら限定されるものではなく、その要旨を逸脱しない範囲において、種々なる態様で実施しうる。
【実施例１】
【００１７】
<概要>
本実施例の実施例の聾唖者用音声出力装置は、右手用ボードと、左手用ボードと、前記各ボード上に右手、左手を添えた状態で指の先端領域に配置される複数のキーと、前記キーの押下組合せに応じた音声出力をする音声出力部とからなる。
【００１８】
<構成>
（全般）
図１２は、本実施例の聾唖者用音声出力装置の構成の一例を示す概念図である。図１２（ａ）に示すように「聾唖者用音声出力装置」１２００は「右手用ボード」１２１０と、「左手用ボード」１２２０と、「音声出力部」１２３０を有する。また、聾唖者用音声出力装置は、入出力制御のための「制御部」１２４０を有していてもよい。
【００１９】
（右手用キーボード、左手用キーボード）
右手用ボードは、右手の各指に対応するキーが、各指を添えた状態で指の先端領域に配置される複数のキーを有している。「各指」は、五本の指すべてであってもよいし、四本、三本など一部の指だけであってもよい。また、各指の先端領域に配置されるキーの数は、単数であっても複数であってもよい。
【００２０】
図１２の例は、「各指」が五本すべての指であって、かつ各指の先端領域に配置されるキーの数が単数の場合の例である。即ち、本図の例では、聾唖者用音声出力装置１２００の右手用ボード１２１０は、右手の各指に対応するキー「Ｒ１」１２１１、「Ｒ２」１２１２、「Ｒ３」１２１３、「Ｒ４」１２１４及び「Ｒ５」１２１５を有している。これらのキーのち、Ｒ１は親指用、Ｒ２は人差指用、Ｒ３は中指用、Ｒ４が薬指用、Ｒ５は小指用である。これらのキーを指で押下することで、そのキーに対応する信号がキーボード内部の電子回路などを通じて制御部１２４０に伝えられ、対応する音声に変換されて音声出力部１２３０を構成するスピーカなどから発生される。左手用ボードの機能や構成も右手用キーボードとパラレルである。
【００２１】
各ボードにおけるキーは、キーが固定的なボード上の定められた位置に配置される場合には、キーの位置が、右手（又は左手）を添えた状態でそれぞれの指の先端領域にくるような位置に配置される。これは、指を自然な形で広げた時にそれぞれの指先がくる位置にキーを配置することでキー操作を容易に行えるようにするためである。ここで、「固定的なボードの定められた位置に配置される」というのは、電卓や携帯電話のキーのように、ボードが形を変えることがなく、かつボード上におけるキーの位置が固定されている場合を言う。一方、キーは、必ずしも固定的なボード上の定められた位置に配置されていなくてもよい。かかる具体例については後述する。
【００２２】
各キーをどの音の入力用として割り当てるかは、当該音の使用頻度や操作の容易性などに鑑みて決定される。好適な一例は、後に詳述するが、例えば、左手用キーボードのＬ１のキーに「か行」の子音（「ｋ」）を、右手用キーボードのＲ１のキーに「あ」をそれぞれ割り当て、「Ｌ１」キーと「Ｒ１」キーを同時に押下すれば「か」の音が発声されるといった具合である。
【００２３】
（音声出力部）
「音声出力部」は、キーの押下組合せに応じた音声出力をスピーカ等を用いて行うためのものである。
【００２４】
（各キー群に割り当てられる音：全体）
【００２５】
（基本型）
次に、発話者が指の配置や動きに合わせてキーボードを見ずに簡単に操作できるような、各キー群に割り当てられる音の一例について説明する。
【００２６】
まず、本例では、キーに割り当てられる音の全体の種類は、母音、子音、小さな母音、小さな「や」「ゆ」「よ」、濁音、半濁音である。「小さな母音」とは、例えば小さな「あ」であれば、「ファミリー」の「ファ」を発音するために、「は」（ここでは後述のように母音を含まない「ｈ」ないし「ｆ」の音を表す）の音と組み合わせて用いられるものである。
【００２７】
あるいは、濁音と半濁音はキーに割り当てられる音の全体の種類に加えなくてもよい。これを加えない場合は、例えば「がんばります」や「パンプキンケーキ」はこれを発音できないので、代わりに「かんはります」、「ハンフキンケーキ」などと発音し、前後の文脈などで相手方に推測してもらうことになる。これは、かかる推測に頼らざるを得ないことの代償として、キー操作の容易性を図ることを最大限追求したものである。
【００２８】
（その他）
さらに、各キーをアクセントボタンとしてもよい。これは、音は同じだがアクセントやイントネーションの異なる単語や文章を、その場の操作で自由に選択して発音できるようにするためのものである。その具体的構成ついては、別の実施例で説明する。
【００２９】
（各キーに割り当てられる音：各指）
さらに、この中から、それぞれのキーに特定の音が割り当てられる。好適な一例を図１２（ｂ）に示す。本例では、右手用ボードの親指用の「Ｒ１」キーには、「あ」、小さな「あ」が割り当てられる。右手の人差指用の「Ｒ２」キーには、「い」、小さな「い」、小さな「や」、小さな「ゆ」、小さな「よ」が割り当てられる。右手の中指用の「Ｒ３」キーには、「う」、小さな「う」が割り当てられる。右手の薬指用の「Ｒ４」キーには、「え」、小さな「え」が割り当てられる。右手の小指用の「Ｒ５」キーには、「お」、小さな「お」が割り当てられる。
【００３０】
一方、左手用ボードの親指用の「Ｌ１」キーには、「か」、「が」が割り当てられる。左手の人差指用の「Ｌ２」キーには、「さ」、「ざ」が割り当てられる。左手の中指用の「Ｌ３」キーには、「た」、「だ」が割り当てられる。左手の薬指用の「Ｌ４」キーには、「な」が割り当てられる。左手の小指用の「Ｌ５」キーには、「は」、「ば」、「ぱ」が割り当てられる。なお、ここで、「か」は母音を含む音（「ｋ」プラス「ａ」）という意味ではなく、子音のみの音（「ｋ」）であることを示す（「が」、「さ」、「ざ」、「た」、「だ」、「な」、「は」、「ば」、「ぱ」についても同様である）。そこで、例えば、「は」という音を入力する場合には、「Ｒ１」キーと「Ｌ５」キーを同時に押す。また、や行の拗音を含む音、例えば「ひゃ」という音を入力する場合には、上の要領で「は」を入力するのと同時に「Ｒ２」キーも押す。つまりこの場合は、「Ｒ１」キー、「Ｌ５」キー、「Ｒ２」キーを同時に押すことになる。ここで、「Ｒ２」を押した時に小さな「や」、小さな「ゆ」、小さな「よ」のいずれの音が発音されるかは、同時に押すキーが「あ」、「う」、「お」のどれに対応するものであるかによって決まる。従って、例えば、「ひゅ」という音を入力する場合には、「Ｒ３」キー、「Ｌ５」キー、「Ｒ２」キーを同時に押せばよい。
【００３１】
また、「Ｌ１」キーのように、一つのキーに複数の音が割り当てられている場合には、キーを押す回数によって、どちらの音が入力されるかが決まる。例えば、「か」という音を入力する場合には、「Ｒ１」キーと「Ｌ１」キーを同時に１回押し、「が」という音を入力する場合には、「Ｒ１」キーを押すのと同時及び直後に「Ｌ１」キーを２回押す。同様に、「は」、「ば」、「ぱ」の入力は、「Ｒ１」キーと同時及び直後に押す「Ｌ５」キーの押下回数を、１回、２回又は３回とすることで区別される。同様に、あ行の拗音を含む音、例えば「ふぁ」という音を入力する場合には、「Ｌ５」キーと同時及び直後に「Ｒ１」キーを２回押す。
【００３２】
さらに、「ま」、「や」、「ら」、「わ」は複数のキーに割り当てられる。例えば、「ま」は、「Ｌ１」キーと「Ｌ２」キーに割り当てられ、「や」は、「Ｌ１」キーと「Ｌ３」キーに割り当てられ、「ら」は、「Ｌ１」キーと「Ｌ４」キーに割り当てられ、「わ」は、「Ｌ１」キーと「Ｌ５」キーに割り当てられる。なお、ここでの「ま」、「や」、「ら」、「わ」も前述の「か」などと同様子音のみの音であることを示す。そこで例えば、「ま」という音を入力するには、「Ｒ１」キー、「Ｌ１」キー、「Ｌ２」キーを同時に押す。
【００３３】
図１３は、本実施例のキーボードのキーの配置の一例を示す概念図であり、上で述べた例に即したものである。本例では、右手用ボード１３１０の親指先端領域（概ね太破線１３２０で囲んだ部分）に「Ｒ１」キー１３２１を配置し、右手用ボードの人差指先端領域（概ね太破線１３２５で囲んだ部分）に「Ｒ２」キー１３２６を配置し、右手用ボードの中指先端領域（概ね太破線１３３０で囲んだ部分）に「Ｒ３」キー１３３１を配置し、右手用ボードの薬指先端領域（概ね太破線１３３５で囲んだ部分）に「Ｒ４」キー１３３６を配置し、右手用ボードの小指先端領域（概ね太破線１３４０で囲んだ部分）に「Ｒ５」キー１３４１を配置する。また、左手用ボード１３５０の親指先端領域（概ね太破線１３６０で囲んだ部分）に「Ｌ１」キー１３６１を配置し、左手用ボードの人差指先端領域（概ね太破線１３６５で囲んだ部分）に「Ｌ２」キー１３６６を配置し、左手用ボードの中指先端領域（概ね太破線１３７０で囲んだ部分）に「Ｌ３」キー１３７１を配置し、左手用ボードの薬指先端領域（概ね太破線１３７５で囲んだ部分）に「Ｌ４」キー１３７６を配置し、左手用ボードの小指先端領域（概ね太破線１３８０で囲んだ部分）に「Ｌ５」キー１３８１を配置する。
【００３４】
参考までに、右手用ボード上に右手の五本指を自然な形で広げた時のおよその指の位置１３９１及び左手ボード上の同様の左手の位置１３９２をそれぞれ細破線で示す。このようにすべてのキーが各領域に対応する指を自然に広げた時の指の位置に配置されており、ユーザがそれぞれの領域に予めあてがった指を押すだけで、リアルタイムに所望の音声を発声することが可能になっている。
【００３５】
なお、以上に挙げた音のほか、促音（小さな「つ」）の入力のためには、例えば、あるキーが押された後他のキーが押されるまでの間に所定時間以上の間（ポーズ）が置かれた場合に、促音を挿入して発音するように構成してもよい。例えば、「Ｒ２」キーと「Ｌ５」キーが押されて「ひ」の音が入力された後、所定時間以上の間を置いてから「Ｒ５」キー、「Ｌ３」キーが押されて「と」の音が入力された場合には「ヒット」と発音されるといった具合である。また、長音の入力の場合には、該当する母音で表現することで対応可能である。
【００３６】
（装置の外観例１：キーが固定的なボード上の定められた位置に配置される場合）
本実施例の聾唖者用音声出力装置の基本的な構成は以上のとおりであるが、ここで本実施例の聾唖者用音声出力装置の外観の例について説明する。一つは、キーが固定的なボード上の定められた位置に配置される場合であって、この具体的な外観の一例は別の実施例にて後述する。本例では、右手用ボード及び左手用ボードそれぞれにおけるキーが、電卓や携帯電話のキーのように、固定的なボード上の定められた位置に配置される。この場合には、各キーは、右手（又は左手）を添えた状態でそれぞれの指の先端領域にくるような位置に配置される。これは、指を自然な形で広げた時にそれぞれの指先がくる位置にキーを配置することでキー操作を容易に行えるようにするためである。
【００３７】
（装置の外観例２：キーの位置がボード上に固定されていない場合）
一方、本実施例の聾唖者用音声出力装置における右手用ボード及び左手用ボードそれぞれにおけるキーは、固定的なボード上の定められた位置に配置されていなくてもよい。この点、後述する三本の指でキー操作を行う聾唖者用音声出力装置の場合には、各指が置かれる領域に複数のキー群が配置され、ユーザがそれぞれの領域の範囲内で適宜指を動かしながら所望のキーを探り当てて押すことができるようにするため、それぞれの領域内におけるキーの相対的な位置関係が予め固定されている必要がある。このため、このようにキーが固定的なボード上の定められた位置に配置されていない場合というのは想定し難い。これに対し、本実施例の聾唖者用音声出力装置、特に各指に単数のキーが対応している場合には、各指を対応するキーに常時触れさせておき、入力するときは触れているキーを押すだけでよいようにすることができるので、各指と対応するキーの接触が保たれている限り、キーの位置は必ずしも固定的なボード上の定められた位置に配置されていなくてもよい。
【００３８】
図１４は、かかる場合における本実施例の聾唖者用音声出力装置の外観の一例を示す。本例は、右手用ボード１４１０及び左手用ボード１４５０が手袋の形状をしている例である。この場合、手袋の指の位置に設けられた袋に指を挿入することで、手袋の内側の手のひら側の面であるボード面上に手が置かれる形になる。そして、各指の先端が触れる場所にキー１４１１〜１４１５、１４５１〜１４５５が配置され、それぞれが信号線１４２０、１４６０で制御部１４４０に接続されている。さらに、制御部は音声出力部（本図の例ではスピーカを備えた小型ＰＣ）１４３０に接続されている。そこで、例えば手を腰にあてがった状態で指を腰に押し付ければ、その圧力をキーが検知し、制御部を介してそのキーに対応する音声の入力を行うように構成される。つまり、本例では、ボードが固定的なものでなく、指の動きに合わせてボード自体が形を変えるが、指とこれに対応するキーは常に接触状態が保たれることになる。
【００３９】
（固定手段）
さらに、かかる聾唖者用音声出力装置の右手用ボード及び左手用ボードのキー配置面の裏面には、衣服に各ボードを固定するための固定手段が設けられていることが望ましい。これは、発話障害者が自然な形で気軽に会話を楽しむことができるために、身体の目立たない位置に装着できるとともに、キーボードを見ずに簡単に操作できることで発話までのタイムラグを少なくすることを目的とする。その具体的構成については、別の実施例にて後述する。
【実施例２】
【００４０】
<概要>
本実施例の聾唖者用音声出力装置は、右手用ボードと、左手用ボードと、前記各ボード上に右手、左手を添えた状態で親指、人差指、中指の先端領域に群配置され、母音、子音、小さな母音、小さな「や」「ゆ」「よ」を示す複数のキー群と、前記キー群の押下組合せに応じた音声出力をする音声出力部とからなる。
【００４１】
<構成>
（全般）
図１は、本実施例の聾唖者用音声出力装置の構成の一例を示す概念図である。本図に示すように「聾唖者用音声出力装置」０１００は「右手用ボード」０１１０と、「左手用ボード」０１２０と、「音声出力部」０１３０を有する。また、聾唖者用音声出力装置は、入出力制御のための「制御部」０１４０を有していてもよい。
【００４２】
（右手用キーボード、左手用キーボード）
右手用ボードは、右手の各指に対応するキー群「Ｒ１」０１１１、「Ｒ２」０１１２及び「Ｒ３」０１１３を有しており、それぞれのキー群の中に、所定の音に対応する複数のキーが配置されている。これらのキー群のち、Ｒ１は親指用、Ｒ２は人差指用、Ｒ３は中指用である。これらのキーを指で押下することで、そのキーに対応する信号がキーボード内部の電子回路などを通じて制御部に伝えられ、対応する音声に変換されて音声出力部を構成するスピーカなどから発生される。左手用ボードの機能や構成も右手用キーボードとパラレルである。
【００４３】
各ボードにおけるキー群は、ボード上に右手（又は左手）を添えた状態でそれぞれの指の先端領域にくるような位置に配置される。これは、指を自然な形で広げた時にそれぞれの指先がくる位置にキー群を配置することでキー操作を容易に行えるようにするためである。
【００４４】
このように、本実施例では、キー操作に用いる指の数を三本に限定しているところ、確かに全体のキーの数を同じとすれば、五本の指でキー操作を行う場合に比べ、一本の指に割り当てられるキーは増えることとなる。しかし、以下に述べるように本実施例でもキーの数を少なくして操作の容易性を追求することが可能であるので、本発明の解決すべき課題である、発話障害者が自然な形で気軽に会話を楽しむことができるように、単に携帯容易なだけでなく、身体の目立たない位置に装着できるとともに、キーの数が少なく、指の配置や動きに合わせてキーボードを見ずに簡単に操作できることで発話までのタイムラグの少なくすることや、音は同じだがアクセントやイントネーションの異なる単語や文章を、その場の操作で自由に選択してリアルタイムに発話できることを実現するのに適した者であることには変わりがない。
【００４５】
なお、この場合にキー操作に使用する三本の指として親指、人差指、中指を用いることにしているのは、一般にこの三本がその運動能力から最もキー操作に適しており、この三本を用いることで、キーを見ずに発話までのタイムラグの少ない操作を行うために最適な指の動きが可能となるためである。
【００４６】
各キー群中の各キーをどの音の入力用として割り当てるかは、当該音の使用頻度や操作の容易性などに鑑みて決定される。好適な一例は、後に詳述するが、例えば、左手用キーボードのＬ１のキー群のうちの一つのキー（仮に「Ｌ１．１」とする）に「か行」の子音（「ｋ」）を、右手用キーボードのＲ１のキー群のうちの一つのキー（仮に「Ｒ１．１」とする）に「あ」をそれぞれ割り当て、「Ｌ１．１」キーと「Ｒ１．１」キーを同時に押下すれば「か」の音が発生されるといった具合である。
【００４７】
（音声出力部）
「音声出力部」は、キー群の押下組合せに応じた音声出力をスピーカ等を用いて行うためのものである。
【００４８】
（各キー群に割り当てられる音：全体）
（基本型）
次に、発話者が指の配置や動きに合わせてキーボードを見ずに簡単に操作できるような、各キー群に割り当てられる音の一例について説明する。
【００４９】
まず、本例では、キー群に割り当てられる音の全体の種類は、母音、子音、小さな母音、小さな「や」「ゆ」「よ」である。「小さな母音」とは、例えば小さな「あ」であれば、「ファミリー」の「ファ」を発音するために、「は」（ここでは後述のように母音を含まない「ｈ」ないし「ｆ」の音を表す）の音と組み合わせて用いられるものである。
【００５０】
あるいは、濁音と半濁音をキー群に割り当てられる音の全体の種類として加えてもよい。これを加えない場合の入力要領は、実施例１に述べたところと同様である。
【００５１】
（連続音生成用キー）
さらに、本実施例の聾唖者用音声出力装置には連続音生成用キーを設けてもよい。「連続音生成用キー」とは、予め登録された連続音に切り替えるためのキーである。ここで「連続音」とは、予め登録された連続音からなる単語、文章などをいう。かかるキーを設ける目的は、例えば、「あ」で始まる連続音として、「あした」、「あさって」、「ありがとう」など、比較的よく使われる単語や文章を登録しておくことで、例えば連続音生成用キーをＯＮにした上で「あ」に対応するキーを押下するなどの簡単な操作を行うだけで、これらの登録された単語、文章を発音できるようにすることにある。
【００５２】
（その他）
さらに、各キーをアクセントボタンとしてもよい。これは、音は同じだがアクセントやイントネーションの異なる単語や文章を、その場の操作で自由に選択して発音できるようにするためのものである。その具体的構成ついては、別の実施例で説明する。
【００５３】
（各キー群に割り当てられる音：各指）
さらに、この中から、それぞれの指に特定のキー群が割り当てられる。好適な一例としては、右手用ボードの親指先端領域に「あ」、「い」、小さな「あ」、小さな「い」、小さな「や」に対応するキー群を配置し、右手用ボードの人差指先端領域に「う」、小さな「ゆ」に対応するキー群を配置し、右手用ボードの中指先端領域に「え」、「お」、小さな「え」、小さな「お」、小さな「よ」に対応するキー群を配置し、左手用ボードの親指先端領域に「た」、「さ」、「か」、「だ」、「ざ」、「が」に対応するキー群を配置し、左手用ボードの人差指先端領域に「ま」、「は」、「ば」、「ぱ」、「な」に対応するキー群を配置し、左手用ボードの中指先端領域に「わ」、「ら」、「や」に対応するキー群を配置したものが挙げられる。なお、ここで、「た」は母音を含む音（「ｔ」プラス「ａ」）という意味ではなく、子音のみの音（「ｔ」）であることを示す（「さ」、「か」、「だ」、「ざ」、「が」、「ま」、「は」、「ば」、「ぱ」、「な」についても同様である）。従って、実際に「た」の音を発音するためには、この「た」のキーと「あ」のキーを合わせて入力する必要がある。
【００５４】
図２は、本実施例のキーボードのキー群の配置の一例を示す概念図であり、上で述べた例に即したものである。本例では、右手用ボード０２１０の親指先端領域（概ね太破線０２２０で囲んだ部分）に「あ」に対応するキー０２２１、「い」に対応するキー０２２２、小さな「あ」に対応するキー０２２３、小さな「い」に対応するキー０２２４、小さな「や」に対応するキー０２２５からなるキー群を配置し、右手用ボードの人差指先端領域（概ね太破線０２３０で囲んだ部分）に「う」に対応するキー０２３１、小さな「ゆ」に対応するキー０２３２からなるキー群を配置し、右手用ボードの中指先端領域（概ね太破線０２４０で囲んだ部分）に「え」に対応するキー０２４１、「お」に対応するキー０２４２、小さな「え」に対応するキー０２４３、小さな「お」に対応するキー０２４４、小さな「よ」に対応するキー０２４５からなるキー群を配置する。また、左手用ボード０２５０の親指先端領域（概ね太破線０２６０で囲んだ部分）に「た」に対応するキー０２６１、「さ」に対応するキー０２６２、「か」に対応するキー０２６３、「だ」に対応するキー０２６４、「ざ」に対応するキー０２６５、「が」に対応するキー０２６６からなるキー群を配置し、左手用ボードの人差指先端領域（概ね太破線０２７０で囲んだ部分）に「ま」に対応するキー０２７１、「は」に対応するキー０２７２、「ば」に対応するキー０２７３、「ぱ」に対応するキー０２７４、「な」に対応するキー０２７５からなるキー群を配置し、左手用ボードの中指先端領域（概ね太破線０２８０で囲んだ部分）に「わ」に対応するキー０２８１、「ら」に対応するキー０２８２、「や」に対応するキー０２８３からなるキー群を配置する（なお、本図では、説明の便宜上、各キーに「あ」などの対応する音を付記したが、本発明の聾唖者用音声出力装置は好適にはキーボードを見ずに操作できるように構成されるため、実際のキーにはこれらの付記は必ずしも必要ない。このことは他図においても同様である）。
【００５５】
参考までに、右手用ボード上に右手の親指、人差指、中指の三本指を自然な形で広げた時のおよその指の位置０２９１及び左手ボード上の同様の左手の位置０２９２をそれぞれ細破線で示す。このようにすべてのキーが各領域に対応する指を無理なく動かすことで押せる範囲内に配置されており、ユーザがそれぞれの領域の範囲内で適宜指を動かしながら所望のキーを探り当てて押すことができる配置になっている。
【００５６】
なお、配置すべきキーとしては、このほかに、促音（小さな「つ」）や撥音（「ん」）を入力するためのキーを独立して設けてもよいが、これらのキーは必ずしも必要ではない。図２に示したキー配置は、これらのキーを設けない例であり、この場合には、例えば、「た」の次に別の子音キーが入力されるか、又は何も入力されない場合に、促音が入力されたとみなすように構成される。例えば、「は」、「い」、「た」、「た」、「お」に対応するキーがこの順に押下されると「ヒット」となる（一方、「は」、「い」、「た」、「お」に対応するキーがこの順に押下されると「ひと（人）」となる）。あるいは、あるキーが押された後他のキーが押されるまでの間に所定時間以上の間（ポーズ）が置かれた場合に、促音を挿入して発音するように構成してもよい。例えば、「は」、「い」に対応するキーが押下された後、所定時間以上の間を置いてから「た」、「お」に対応するキーが押下されると「ヒット」と発音されるといった具合である。撥音の場合も同様に、例えば「な」の次に別の子音キーが入力されるか、又は何も入力されない場合に、撥音が入力されたとみなすように構成される。「次に別の子音が入力された場合」の中には次も「な」が入力された場合も含まれる。例えば「か」、「あ」、「な」、「な」、「あ」、「な」に対応するキーがこの順に押下されると「かんあん（勘案）」となり、「か」、「あ」、「な」、「な」、「な」、「あ」、「な」に対応するキーがこの順に押下されると「かんなん（艱難）」となる（一方、「か」、「あ」、「な」、「あ」、「な」に対応するキーがこの順に押下されると「かなん（華南）」となる）。かかる構成は、促音用や撥音用の専用キーを設けるよりもキーの数が少なくて済むので、本発明の解決課題に即したより好適な構成であるといえる。
【００５７】
同様に、長音（「あー」の「ー」のように伸ばす音）を入力するためのキーを独立して設けてもよいが、このキーも必ずしも必要ではない。図２に示したキー配置は、このキーを設けない例であり、この場合には、例えば、「あ」の次に再び「あ」というように同じ母音に対応するキーを続けて押下した場合に「あー」のようにその母音を伸ばすための入力とみなすように構成される。これも、上と同様、キーの数を少なくて済むようにした好適な構成である。
【００５８】
図３は、本実施例のキーボードのキー群の配置の別の一例を示す概念図であり、図２で示した例に加え、左手用キーボードの中指の腹が当接する領域にさらに連続音生成用キー０３９３を設けたものである。このように中指の腹が当接する領域に当該キーを設けることで、各指先端領域に設けられた各キーの操作に何ら支障をきたすことなく、これらのキーを押下しながらでも同時に中指の腹で連続音生成用キーを押下することが可能となる。
【００５９】
次に、連続音生成用キーを用いた連続音の生成要領について説明する。図４は、連続音生成用キーの押下による機能切替え要領の一例を示す。このうち（ａ）は、連続音生成用キーが押下される前における右手用ボードの各キーが対応する音を示したものであり、この対応関係は図２における右手用ボードと同じである（ただし、本図では模式的に示したため、実際の配置とは必ずしも一致しない）。一方、（ｂ）は、連続音生成用キーが押下された後における右手用ボードの各キーが対応する音又は機能を示したものである。本図に示すように、連続音生成用キーが押下されると、親指先端領域０４２０に配置された小さな「あ」に対応するキー０４２３、小さな「い」に対応するキー０４２４、小さな「や」に対応するキー０４２５の機能がそれぞれ数字「１」、「２」、「５」を示す機能に切り替えられ、人差指先端領域０４３０に配置された小さな「ゆ」に対応するキー０４３２の機能が数字「６」を示す機能に切り替えられ、中指先端領域０４４０に配置された小さな「え」に対応するキー０４４３、小さな「お」に対応するキー０４４４、小さな「よ」に対応するキー０４４５の機能がそれぞれ数字「３」、「４」、「７」を示す機能に切り替えられる。
【００６０】
一方、本例の聾唖者用音声出力装置は、予めユーザによる入力などにより、連続音を登録し記憶装置に記憶している。このため、本例の聾唖者用音声出力装置は、かかる登録のための入力を行うための入力インターフェイス（キーボードなど）を含むコンピュータ装置を備えていることが望ましい。
【００６１】
登録される連続音は、例えば特定の数字と関連付けたテーブルとして記憶される。これにより複数の連続音を登録しておくことが可能となり、図４の例に即せば、最大で７個の連続音を登録しておくことが可能となる。また、後述のように、この連続音機能を利用する場合は、例えば連続音生成用キーと、音に対応したキーを併用することで、音ごとに連続音を登録することができる。従って、図４の例に即せば、かかる併用により、各音について最大で７個の連続音を登録しておくことが可能となる。
【００６２】
図５は、このようにして数字と関連付けて登録された連続音に係るテーブル０５００の一例を示す。本図は「あ」の音について４個の連続音を登録したものである。
【００６３】
そこで、例えば、「ありがとう」という音を発音する場合には、（１）まず、連続音生成用キーを押下して「ＯＮ」の状態にする。（２）次に、「あ」に対応するキーを押下する。（３）さらに、数字の「３」のキーを押下する。以上の操作により、これらのキーの押下により発生した入力信号が制御部などを構成するＣＰＵによって受け付けられ、ＣＰＵは図５に示したテーブルを読み出してこれをサーチし、「３」に対応する連続音である「ありがとう」を検出して、これを音声出力部に発音させることとなる。
【００６４】
（装置の外観例）
本実施例の聾唖者用音声出力装置の基本的な構成は以上のとおりであるが、ここで本実施例の聾唖者用音声出力装置の外観の一例を図１１に示す。本図の例では、右手用ボード１１１０及び左手用ボード１１５０それぞれにキー群を配置した。また、本例は、連続音生成用キー１１９３が配置されている例である。なお、左手用ボードの左に現れているのは、入出力制御のための制御ユニット１１４０である。この制御ユニットは、後述するように実際に身体に装着されるときは、例えばバッグの中に入れた状態で装着される。
【００６５】
（固定手段）
さらに、かかる聾唖者用音声出力装置の右手用ボード及び左手用ボードのキー配置面の裏面には、衣服に各ボードを固定するための固定手段が設けられていることが望ましい。これは、発話障害者が自然な形で気軽に会話を楽しむことができるために、身体の目立たない位置に装着できるとともに、キーボードを見ずに簡単に操作できることで発話までのタイムラグを少なくすることを目的とする。その具体的構成については、別の実施例にて後述する。
【００６６】
<効果>
本実施例の発明により、発話障害者が自然な形で気軽に会話を楽しむことができるように、単に携帯容易なだけでなく、身体の目立たない位置に装着できるとともに、キーの数が少なく、指の配置や動きに合わせてキーボードを見ずに簡単に操作できることで発話までのタイムラグの少ない聾唖者用音声出力装置を提供することが可能となる。また、音は同じだがアクセントやイントネーションの異なる単語や文章を、その場の操作で自由に選択してリアルタイムに発話できる聾唖者用音声出力装置を提供することが可能となる。
【実施例３】
【００６７】
<概要>
本実施例の聾唖者用音声出力装置は、基本的に実施例１又は２の聾唖者用音声出力装置と共通するが、右手用ボード及び左手用ボードのキー配置面の裏面に衣服に各ボードを固定するための固定手段が設けられていることを特徴とするものである。
【００６８】
<構成>
（固定手段）
【００６９】
本実施例の聾唖者用音声出力装置では、右手用ボード及び左手用ボードのキー配置面の裏面に衣服に各ボードを固定するための「固定手段」が設けられている。これは既述のように、発話障害者が自然な形で気軽に会話を楽しむことができるために、身体の目立たない位置に装着できるとともに、キーボードを見ずに簡単に操作できることで発話までのタイムラグを少なくすることを目的とする。従って、衣服に固定する際の位置は、上着やズボンなどの腰付近、脇腹付近あるいは肋骨付近といった目立たない位置が好適である。その際、上着やズボンの外表面に固定してもよいが、さらに装置をより目立たないようにするため、上着やズボンのポケットの中に固定するようにしてもよい。
【００７０】
図６に右手用ボード及び左手用ボードのキー配置面の裏面に設けられる固定手段の一例を示す。本例は実施例２で図２などに示したボードの例である。（ａ）は右手用ボード０６１０及び左手用ボード０６２０をやや上方からみた斜視図であり、各ボードの裏面に衣服に固定するための固定手段として、面ファスナー０６１１、０６２１を貼り付けた状態を示す。なお、各ボードから伸びているケーブル０６５０は、各ボードと入出力用の制御ユニットなどとを接続するためのケーブルである。（ｂ）は左手用ボードをやや下方から見た斜視図であり、ボードの裏面の一部に面ファスナー０６２１が貼り付けられている状態が示されている（図示を省略したが右手用ボードの裏面の状態も同様に現れる）。この場合、衣服にはこれと噛み合う面ファスナーが、例えば上着やズボンなどの腰付近、脇腹付近あるいは肋骨付近の外表面又はポケット内といった目立たない位置に貼り付けられる。
【００７１】
この固定手段は、各ボードを使用中に衣服に固定した状態に保つことができれば足りるので、かかる固定ができるものであれば、本図の例と異なり、スナップボタンや粘着テープなどであってもよい。
【００７２】
図７は、かかる固定手段を設けた聾唖者用音声出力装置の衣服への装着状態の一例を示す図である。（ａ）に示すように、本例では、ズボンの腰付近の外表面に右手用ボード０７１０及び左手用ボード０７２０を装着する。各ボードは、図６に示したように、裏面に面ファスナーが貼り付けられている。また、（ｂ）は、（ａ）の左手用ボードの近傍（概ね円０７２１で囲んだ部分）を拡大するとともに、左手用ボード及びケーブルの図示を省略（ただし、位置のみ破線で示す）してズボンの外表面が見えるように描いたものであるが、同図に示すように、ズボン外表面の、ボード裏側の面ファスナーに対応する位置にこれと噛み合う面ファスナー０７２２が貼り付けられている。このため、ボードを衣服に固定することが可能となる（図示を省略したが、右手用ボードについても同様である）。
【００７３】
なお、この場合、ケーブル０７５０は例えばベルトの下などを通すことによりやはり目立たないようにすることが可能である。また、このケーブルに接続される音声出力用のスピーカや入出力制御用の小型ＰＣなどは、（ａ）に示すように、例えばベルトに装着した小型のバッグ０７３０の中に収納される。この場合、このバッグを洒落たデザイナーズバッグなどとすれば、必ずしも目立たないところに装着する必要はなく、目立つ位置に装着した場合であっても何ら支障なく自然な形で気軽に会話を楽しむことが可能となる。
【００７４】
<効果>
本実施例の発明により、聾唖者用音声出力装置を、単に携帯容易なだけでなく、身体の目立たない位置に装着することが可能となり、発話障害者が自然な形で気軽に会話を楽しむことができるようになる。
【実施例４】
【００７５】
<概要>
本実施例の聾唖者用音声出力装置は、基本的に実施例１又は２の聾唖者用音声出力装置と共通するが、各キーはアクセントボタンであり、強い押下で強調音を出力し、通常押下で通常音を出力するように音声出力部が構成されていることを特徴とする。
【００７６】
<構成>
（アクセントボタン）
本実施例の聾唖者用音声出力装置は、各キーがアクセントボタンになっている。本発明における「アクセントボタン」とは、押下の仕方（強く押すか弱く押すか）の違いに応じて出力する音（強調音、通常音）を区別できるようにしたものである。これは、音は同じだがアクセントやイントネーションの異なる単語や文章を、その場の操作で自由に選択してリアルタイムに発話できることを目的とする。
【００７７】
図８は、アクセントボタンの構造の一例を示す。本図に示すようにアクセントボタン０８００は、二段階構造になっており、下段には強調音を発音する際のみに用いられるボタン（以下「下段ボタン」という。）０８１０を配置し、上段には強調音・通常音双方の発音の際に用いられるボタン（以下「上段ボタン」という。）０８２０を配置する。両ボタンはバネ０８３０などの弾性体で接続されている。また、それぞれのボタンは入力信号を入出力制御のための制御部に伝達するための信号線０８４０を有する。
【００７８】
なお、本図のアクセントボタンの各ボタンの形状、構造は、上段ボタンの例で説明すれば、台座部０８２１上に固定された、ボタン部をガイドするための環状のガイド部０８２２と、その環内に上下に移動可能に嵌合されたボタン部０８２３とからなる（下段ボタンも同様である）。
【００７９】
図９はかかるアクセントボタンに係るボタンの押下のための構造の一例を示す。（ａ）はボタンが押下される前の状態、即ち非使用時の状態を示す。これは図８に示した状態のアクセントボタンを側面から見たものである（ただし、信号線の記載は省略した）。この場合、ボタン部０９２３はその一部がガイド部０９２２及び台座部０９２１の内部に埋まっているが、その程度は入力信号が検知されない位置にとどまっている。次に、（ｂ）はボタンが押下された状態を示す。この場合は、ボタン部０９２３は入力信号が検知される位置までガイド部０９２２及び台座部０９２１の内部に押し込まれた状態となる。
【００８０】
ところで、本発明は、専ら日本語のキー入力及び発音だけを対象としているところ、日本語のアクセントは高低アクセントである（新村出編「広辞苑」（第五版）「アクセント」の項参照）。そこで、本発明にいう「強調音」とは高く発音される音をいい、「通常音」とは低く発音される音をいう。ただし、本発明は強弱アクセントにより発音を区別する言語に用いる場合にも、同じ構成を用いることで応用可能である。
【００８１】
（具体的構成）
そこで次に、かかる構造のアクセントボタンを用いた、強調音、通常音の発音の使い分けに係る具体的構成について説明する。
【００８２】
図１０は、かかるアクセントボタンの具体的構成を説明するための概念図である。まず（ａ）は、ボタンが押下される前の状態、即ち非使用時の状態を示す。これは図９（ａ）に示したのと同じ状態を示したものである（本図でも信号線の記載は省略した）。次に、通常音を発音する場合は、（ｂ）に示すように、上段ボタン１０２０だけについて、そのボタン部１０２３を矢印方向に押下する。すると、制御部は、信号線を介して、上段ボタンが押されたことを示す入力信号だけを検知し、下段ボタンが押されたことを示す入力信号を検知しないので、これに対応して低音での発音を行うように制御する。一方、強調音を発音する場合は、（ｃ）に示すように下段ボタン１０１０も一緒に押下する位置まで上段ボタンを矢印方向にさらに強く（深く）押下する。すると、制御部は、信号線を介して、上段ボタンが押されたことを示す入力信号に加え、下段ボタンが押されたことを示す入力信号をも検知するので、これに対応して高音での発音を行うように制御する。
【００８３】
このように、低く発音される音を発音したいときは、その音に対応するキーのうち上段ボタンだけを押下すれば、低音で発音される。一方、高く発音される音を発音したいときは、下段ボタンも一緒に押下される位置まで強く（深く）押下すれば、高音で発音されることになる。
【００８４】
このアクセントは母音の高低で決まるので、アクセントボタンは母音用のキーにだけ設ければよい。例えば、「箸」という単語は、標準アクセントでは「は」が高く、「し」が低く発音される。そこで、この単語をそのように発音したい場合、まず「は」に対応するキーと同時に「あ」に対応するアクセントボタンの上段ボタンを下段ボタンも一緒に押下される位置まで強く押下する。つまり、図９（ｃ）のような状態になるまで押下する。すると下段ボタンが押下されたことが検知されるので、「は」が高音で発音される。次に、「し」を低音で発音するため、「さ」に対応するキーと同時に「い」に対応するアクセントボタンの上段ボタンだけを押下する。つまり、図９（ｂ）のような状態になるまで押下する。すると下段ボタンが押下されたことは検知されないので、「し」が低音で発音される。
【００８５】
一方、「橋」という単語は、標準アクセントでは「は」が低く、「し」が高く発音される。そこで、この単語をそのように発音したい場合、まず「は」に対応するキーと同時に「あ」に対応するアクセントボタンの上段ボタンだけを押下する。つまり、図９（ｂ）のような状態になるまで押下する。すると下段ボタンが押下されたことは検知されないので、「は」が低音で発音される。次に、「し」を高音で発音するため、「さ」に対応するアクセントボタンの上段ボタンを下段ボタンも一緒に押下される位置まで強く押下する。つまり、図９（ｃ）のような状態になるまで押下する。すると下段ボタンが押下されたことが検知されるので、「し」が高音で発音される。
【００８６】
なお、図８などに示したアクセントボタンの形状は一例であって、上述のような構成により強調音、通常音の発音の使い分けが可能なものであれば、他の形状であってもよい。例えば、図８に示した台座部に相当する形状、大きさの単一のボタンを上、下段それぞれのボタンとして、両ボタンをバネ等で接続したものであってもよい。この場合、例えば、下段ボタンはボード内にある程度埋め込まれるところまで上下に移動可能なものであることによって、この埋め込まれた程度によって入力信号を検知して強調音の発音のための押下がなされたかどうかを判断することができる。
【００８７】
<効果>
本実施例の発明により、音は同じだがアクセントやイントネーションの異なる単語や文章を、その場の操作で自由に選択してリアルタイムに発話できる聾唖者用音声出力装置を提供することが可能となる。
【図面の簡単な説明】
【００８８】
【図１】実施例２の聾唖者用音声出力装置の構成の一例を示す概念図
【図２】実施例２のキーボードのキー群の配置の一例を示す概念図
【図３】実施例２のキーボードのキー群の配置の別の一例を示す概念図
【図４】連続音生成用キーの押下による機能切替え要領の一例を示す図
【図５】数字と関連付けて登録された連続音に係るテーブルの一例を示す図
【図６】右手用ボード及び左手用ボードのキー配置面の裏面に設けられる固定手段の一例を示す図
【図７】固定手段を設けた聾唖者用音声出力装置の衣服への装着状態の一例を示す図
【図８】アクセントボタンの構造の一例を示す図
【図９】アクセントボタンに係るボタンの押下のための構造の一例を示す図
【図１０】アクセントボタンの具体的構成を説明するための概念図
【図１１】実施例３の聾唖者用音声出力装置の外観の一例を示す図
【図１２】実施例１の聾唖者用音声出力装置の構成の一例を示す概念図
【図１３】実施例１のキーボードのキーの配置の一例を示す概念図
【図１４】実施例１の聾唖者用音声出力装置の外観の一例を示す図
【符号の説明】
【００８９】
１２００      聾唖者用音声出力装置
１２１０      右手用ボード
１２１１      キー「Ｒ１」（親指用）
１２１２      キー「Ｒ２」（人差指用）
１２１３      キー「Ｒ３」（中指用）
１２１４      キー「Ｒ４」（薬指用）
１２１５      キー「Ｒ５」（小指用）
１２２０      左手用ボード
１２２１      キー「Ｌ１」（親指用）
１２２２      キー「Ｌ２」（人差指用）
１２２３      キー「Ｌ３」（中指用）
１２２４      キー「Ｌ４」（薬指用）
１２２５      キー「Ｌ５」（小指用）
１２３０      音声出力部
１２４０      制御部
【図１】
2009042397.tif 000003
【図２】
2009042397.tif 000004
【図３】
2009042397.tif 000005
【図４】
2009042397.tif 000006
【図５】
2009042397.tif 000007
【図６】
2009042397.tif 000008
【図７】
2009042397.tif 000009
【図８】
2009042397.tif 000010
【図９】
2009042397.tif 000011
【図１０】
2009042397.tif 000012
【図１１】
2009042397.tif 000013
【図１２】
2009042397.tif 000014
【図１３】
2009042397.tif 000015
【図１４】
2009042397.tif 000016